(57)【特許請求の範囲】
【請求項１】
カード基材と、
前記カード基材に形成され、秘密情報を表示する秘密情報表示層と、
前記秘密情報表示層に形成され、前記秘密情報を隠蔽し、除去されて前記秘密情報を目視可能にする除去部及びその除去部を除去した後も前記秘密情報表示層に付着している残留部を有する秘密情報隠蔽層と
を備える秘密情報隠蔽カードであって、
前記残留部は、前記除去部と異なる色で形成されている
ことを特徴とする秘密情報隠蔽カード。
【請求項２】
カード基材と、
前記カード基材に形成され、秘密情報を表示する秘密情報表示層と、
前記秘密情報表示層に形成され、前記秘密情報を隠蔽し、除去されて前記秘密情報を目視可能にする除去部及びその除去部を除去した後も前記秘密情報表示層に付着している残留部を有する秘密情報隠蔽層と
を備える秘密情報隠蔽カードであって、
前記除去部は、前記残留部の上に積層されている
ことを特徴とする秘密情報隠蔽カード。
【請求項３】
請求項１又は請求項２に記載の秘密情報隠蔽カードにおいて、
前記残留部は、真偽判別情報を表示する
ことを特徴とする秘密情報隠蔽カード。
【請求項４】
請求項１から請求項３までのいずれか１項に記載の秘密情報隠蔽カードにおいて、
前記除去部は、脆弱で、摩擦力により粉砕除去可能である
ことを特徴とする秘密情報隠蔽カード。
【請求項５】
請求項１から請求項４までのいずれか１項に記載の秘密情報隠蔽カードにおいて、
前記秘密情報隠蔽層に形成され、その秘密情報隠蔽層の表面を保護する隠蔽保護層をさらに備える
ことを特徴とする秘密情報隠蔽カード。
【請求項６】
請求項１から請求項５までのいずれか１項に記載の秘密情報隠蔽カードの使用方法であって、
前記秘密情報隠蔽層を除去する場合において、前記除去部のみ除去可能であり、前記残留部は付着したままであるときは、真正品であると判別する
ことを特徴とする秘密情報隠蔽カードの使用方法。
【発明の詳細な説明】
【０００１】
【発明の属する技術分野】
本発明は、隠蔽層を除去することで秘密情報が目視可能になる、インターネットなどの小口決済プリペイドカード、国際電話テレフォンカード、くじ引き等に好適に使用することができる秘密情報隠蔽カード及びその使用方法に関するものである。
【０００２】
【従来の技術】
従来より、この種の秘密情報隠蔽カードとして、脆弱に形成された銀色の秘密情報隠蔽層をコイン等で削り落として秘密情報を目視する、いわゆるスクラッチカードが多く使用されている。
このスクラッチカードの隠蔽層を形成するスクラッチインキは、比較的簡単に偽造することができてしまうので、一旦、隠蔽層を削り落として秘密情報を盗視した後、隠蔽層を偽造する偽造品が作製される可能性があった。そのような偽造を防止するために、種々の方法が提案されている。
例えば、特開平９−２９０５８９号公報に記載のスクラッチカードは、スクラッチインキに光学可変性フレークを添加してスクラッチインキ自体を色変化可能にしたり、通常のスクラッチインキ層に光学可変性インキを上塗りして色変化可能にしたものであり、偽造品の作製が困難になるとともに、デザイン面での効果を呈する。
【０００３】
【発明が解決しようとする課題】
しかし、前述した特開平９−２９０５８９号公報に記載のスクラッチカードは、外観を見ただけで、偽造品防止対策が施されていることが分かってしまうので、色変化インキ等を用いて、見た目がそっくりな模造品が作製されてしまう可能性があった。万一、このような模造品が、金券ショップ等に持ち込まれてしまうと、それが模造品であることは、判別できない恐れがある。
【０００４】
本発明の課題は、万一、模造されても、模造品を判別することができる秘密情報隠蔽カード及びその使用方法を提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。
前記課題を解決するために、請求項１の発明は、カード基材（１１）と、前記カード基材（１１）に形成され、秘密情報（ａ）を表示する秘密情報表示層（１２）と、前記秘密情報表示層（１２）に形成され、前記秘密情報（ａ）を隠蔽し、除去されて前記秘密情報（ａ）を目視可能にする除去部（１４ｂ）及びその除去部（１４ｂ）を除去した後も前記秘密情報表示層（１２）に付着している残留部（１４ａ）を有する秘密情報隠蔽層（１４）とを備える秘密情報隠蔽カードであって、前記残留部（１４ａ）は、前記除去部（１４ｂ）と異なる色で形成されていることを特徴とする秘密情報隠蔽カードである。
【０００８】
請求項２の発明は、カード基材（１１）と、前記カード基材（１１）に形成され、秘密情報（ａ）を表示する秘密情報表示層（１２）と、前記秘密情報表示層（１２）に形成され、前記秘密情報（ａ）を隠蔽し、除去されて前記秘密情報（ａ）を目視可能にする除去部（１４ｂ）及びその除去部（１４ｂ）を除去した後も前記秘密情報表示層（１２）に付着している残留部（１４ａ）を有する秘密情報隠蔽層（１４）とを備える秘密情報隠蔽カードであって、前記除去部（１４ｂ）は、前記残留部（１４ａ）の上に積層されていることを特徴とする秘密情報隠蔽カードである。
【０００９】
請求項３の発明は、請求項１又は請求項２に記載の秘密情報隠蔽カードにおいて、前記残留部（１４ａ）は、真偽判別情報（ｂ）を表示することを特徴とする秘密情報隠蔽カードである。
【００１０】
請求項４の発明は、請求項１から請求項３までのいずれか１項に記載の秘密情報隠蔽カードにおいて、前記除去部（１４ｂ）は、脆弱で、摩擦力により粉砕除去可能であることを特徴とする秘密情報隠蔽カードである。
【００１１】
請求項５の発明は、請求項１から請求項４までのいずれか１項に記載の秘密情報隠蔽カードにおいて、前記秘密情報隠蔽層（１４）に形成され、その秘密情報隠蔽層（１４）の表面を保護する隠蔽保護層（１５）をさらに備えることを特徴とする秘密情報隠蔽カードである。
【００１２】
請求項６の発明は、請求項１から請求項５までのいずれか１項に記載の秘密情報隠蔽カードの使用方法であって、前記秘密情報隠蔽層（１４）を除去する場合において、前記除去部（１４ｂ）のみ除去可能であり、前記残留部（１４ａ）は付着したままであるときは、真正品であると判別することを特徴とする秘密情報隠蔽カードの使用方法である。
【００１３】
【発明の実施の形態】
以下、図面等を参照して、本発明の実施の形態について、さらに詳しく説明する。
（第１実施形態）
図１は、本発明による秘密情報隠蔽カードの第１実施形態を示す図である。図中、（Ａ）は表面図、（Ｂ）は（Ａ）のＢ−Ｂ断面図である。
秘密情報隠蔽カード１０は、カード基材１１と、秘密情報表示層１２と、秘密情報保護層１３と、秘密情報隠蔽層１４とを備える。
【００１４】
カード基材１１は、このカードの担体となるものであり、印刷適性のあるものを好適に使用することができる。例えば、塩化ビニル樹脂（ＰＶＣ），ポリエチレンテレフタレート（ＰＥＴ），ポリカーボネート（ＰＣ）等の発泡体である発泡プラスチックシート又は紙シートなどである。
カード基材１１は、カードの名称を示す文字やカードを装飾する絵柄等のカード装飾１１ａを印刷している。
【００１５】
秘密情報表示層１２は、秘密にする情報ａ（図２参照）を表示する層であり、カード基材１１上に通常使用されているインキで印刷されている。この印刷は、オフセット印刷、スクリーン印刷、グラビア印刷、接触・非接触トナー定着方式等の方法を１種類又は２種類以上組み合わせて印刷する。
【００１６】
秘密情報保護層１３は、秘密情報隠蔽層１４を削り落とすときの摩擦から秘密情報表示層１２の秘密情報ａを保護する層であり、秘密情報表示層１２に形成されている。秘密情報保護層１３は、ほぼ透明であり、下地の秘密情報ａを目視することができる。秘密情報保護層１３は、セルロース樹脂、ウレタン樹脂、ポリエステル樹脂、ビニル樹脂、エポキシ樹脂、アクリル樹脂などの樹脂を１種類又は２種類以上組み合わされたものを印刷して形成する。
【００１７】
秘密情報隠蔽層１４は、秘密情報表示層１２の秘密情報ａを隠蔽する層であり、秘密情報保護層１３に形成されている。秘密情報隠蔽層１４は、残留部１４ａと、除去部１４ｂとを有する。
【００１８】
残留部１４ａは、コイン等で擦っても削り落とされずに付着したままになる部分である。残留部１４ａは、真偽判別情報ｂ（図２参照）を表示する。残留部１４ａは、金属粉を含有する顔料と、セルロース樹脂、ウレタン樹脂、ポリエステル樹脂、ビニル樹脂、エポキシ樹脂、アクリル樹脂などの樹脂を１種類又は２種類以上組み合わされたビヒクルとを有するインキで印刷されている。
【００１９】
除去部１４ｂは、コイン等で擦ると容易に削り落とされる部分である。除去部１４ｂは、残留部１４ａの上に形成されており、その残留部１４ａを隠蔽し、さらに、秘密情報表示層１２の秘密情報ａを隠蔽している。
除去部１４ｂは、アルミニウム粉を含む顔料と合成ゴム系樹脂のビヒクルとを有するインキで印刷されている。このようなインキの具体的なものとしては、例えば、帝国インキ製造（株）製のセリコールＲＵＢインキ等を挙げることができる。
【００２０】
（作製方法）
本実施形態の秘密情報隠蔽カード１０は、以下のように製造する。
（１）厚さ１８８μｍのポリエチレンテレフタレート（ＰＥＴ）カード基材１１に対して、所定領域に文字又はマーク等の秘密情報ａを印刷して、秘密情報表示層１２を形成する。また、それ以外の領域に、カード装飾１１ａを印刷する。
（２）（１）において秘密情報表示層１２を形成したカード基材１１に対して、秘密情報保護層１３を印刷して形成する。
（３）（２）において秘密情報保護層１３を形成したカード基材１１に対して、秘密情報隠蔽層１４の残留部１４ａを印刷して形成する。
（４）（３）において残留部１４ａを形成したカード基材１１に対して、秘密情報隠蔽層１４の除去部１４ｂを印刷して形成する。
（５）以上により、秘密情報隠蔽カード１０が完成する。
【００２１】
（使用方法）
図２は、本発明による秘密情報隠蔽カードの第１実施形態の使用状態を示す図である。図中、（Ａ）は使用前、（Ｂ）は使用後、（Ｃ）は（Ｂ）のＣ部拡大図である。
（１）使用者は、秘密情報隠蔽カード１０を入手する。このとき、秘密情報隠蔽層１４があるので、使用者は、秘密情報（ＩＤ番号）ａを目視することができない（図２（Ａ））。
（２）（１）において秘密情報隠蔽カード１０を入手した使用者は、秘密情報隠蔽層１４をコイン等で削り落とす。
すると、秘密情報表示層１２の秘密情報（ＩＤ番号）ａ及び残留部１４ａの真偽判別情報ｂが目視可能に現れる（図２（Ｂ），（Ｃ））。
この真偽判別情報ｂにより、使用者は、入手した秘密情報隠蔽カード１０が本物であることを確認することができる。
（３）（２）においてＩＤ番号ａを目視した使用者は、そのＩＤ番号ａを電話機やパソコンに入力して、国際電話やインターネット上での決済をおこなう。
【００２２】
本実施形態によれば、残留部１４ａは、真偽判別情報ｂを有するので、模造品の判別を容易におこなうことができる。
また、残留部１４ａは、除去部１４ｂに隠蔽されているので、外観のみからでは、その存在を察知されないため、模造品が作られにくい。万一、その存在を察知されても、位置や真偽判別情報ｂの内容を特定することは、困難であるので、模造することができない。
さらに、残留部１４ａは、印刷によって形成されているので、その位置や真偽判別情報ｂの内容を容易に変更することができるため、模造品を作製することは、非常に困難である。
【００２３】
（第２実施形態）
図３は、本発明による秘密情報隠蔽カードの第２実施形態を示す図である。図中、（Ａ）は表面図、（Ｂ）は（Ａ）のＢ−Ｂ断面図である。
なお、以下に示す実施形態では、前述した第１実施形態と同様の機能を果たす部分には、同一の符号を付して、重複する説明を適宜省略する。
秘密情報隠蔽カード１０は、カード基材１１と、秘密情報表示層１２と、秘密情報保護層１３と、塗り分けられて形成された残留部１４ａ及び除去部１４ｂを有する秘密情報隠蔽層１４とを備える。
残留部１４ａは、例えば、アルミニウム粉のように、除去部１４ｂと同じ色の金属粉を含有する顔料を使用するインキで形成されている。
【００２４】
本実施形態によれば、残留部１４ａは、除去部１４ｂとなじんでしまうので、外観のみからでは、偽造防止対策が施されていることが分からない。そのため、見た目だけで、模造品が作られることがない。
【００２５】
（第３実施形態）
図４は、本発明による秘密情報隠蔽カードの第３実施形態を示す図である。図中、（Ａ）は表面図、（Ｂ）は（Ａ）のＢ−Ｂ断面図である。
秘密情報隠蔽カード１０は、カード基材１１と、秘密情報表示層１２と、秘密情報保護層１３と、異なる色で塗り分けられて形成された残留部１４ａ及び除去部１４ｂを有する秘密情報隠蔽層１４とを備える。
残留部１４ａは、例えば、銅粉のように、除去部１４ｂと異なる色の金属粉を含有する顔料を使用するインキで形成されている。残留部１４ａは、真偽判別情報ｂを表示する（図Ａ）。
【００２６】
本実施形態によれば、残留部１４ａは、真偽判別情報ｂを有するので、模造品の判別を容易におこなうことができる。
真偽判別情報ｂは、その存在が一目で分かるので、偽造抑止効果がある。また、一旦、除去部１４ｂを除去して秘密情報ａを盗視した後、除去部１４ｂを偽造しようとしても、残留部１４ａを除く部分にのみ除去部１４ｂを形成することは、困難であり、秘密情報隠蔽層１４を偽造することはできない。そのため、その秘密情報隠蔽層１４を見るだけで、偽造品を容易に判別することができる。
【００２７】
（第４実施形態）
図５は、本発明による秘密情報隠蔽カードの第４実施形態を示す図である。図中、（Ａ）は表面図、（Ｂ）は（Ａ）のＢ−Ｂ断面図である。
秘密情報隠蔽カード１０は、カード基材１１と、秘密情報表示層１２と、秘密情報保護層１３と、秘密情報隠蔽層１４と、秘密情報隠蔽層１４の表面を保護する隠蔽保護層１５とを備える。
隠蔽保護層１５は、秘密情報隠蔽層１４の表面を傷付き等から保護する層であり、秘密情報隠蔽層１４に形成されている。隠蔽保護層１５は、セルロース樹脂、ウレタン樹脂、ポリエステル樹脂、ビニル樹脂、エポキシ樹脂、アクリル樹脂などの樹脂を１種類又は２種類以上組み合わされたものをオフセット印刷、又はシルク印刷し、ＵＶ乾燥して形成することができる。このように、ＵＶ乾燥によって即乾させることで、表面を強固にすることができ、秘密情報隠蔽層１４の表面を傷付き等から保護することができる。
【００２８】
本実施形態によれば、隠蔽保護層１５は、秘密情報隠蔽層１４の表面を被膜するので、秘密情報隠蔽層１４の強度を高めることができ、例えば、移送時に、摩擦等によって、秘密情報隠蔽層１４の表面が傷付けられることを防止することができる。
また、隠蔽保護層１５は、秘密情報隠蔽層１４の表面の平滑性を向上させることもできるので、そのことによっても、秘密情報隠蔽層１４の表面の傷付き等を防止することができる。
【００２９】
（変形形態）
以上説明した実施形態に限定されることなく、種々の変形や変更が可能であって、それらも本発明の均等の範囲内である。
例えば、秘密情報隠蔽層１４は、下層が目視不能に着色されたポリエチレンテレフタレート，延伸ポリスチレン，ポリ塩化ビニル，セロファン，延伸ポリプロピレン等の樹脂フィルムを使用して、剥離不能な残留部１４ａと、剥離可能な除去部１４ｂとを形成しても、同様の効果が得られる。
【００３０】
【発明の効果】
以上詳しく説明したように、本発明によれば、除去可能な除去部と、除去不能な残留部を有するので、模造品の判別が容易におこなうことができる。
【００３２】
本発明によれば、残留部は、除去部と異なる色で形成されているので、秘密情報を盗視した後、除去部を偽造しようとしても、偽造が困難であるため、偽造品を容易に判別することができる。
【００３３】
本発明によれば、除去部は、残留部の上に積層されているので、外観のみからでは、残留部の存在を察知されない。万一、その存在を察知されても、位置や真偽判別情報の内容を特定することは、困難であるので、模造することができない。
【００３４】
本発明によれば、残留部は、真偽判別情報を表示するので、模造品の判別を容易におこなうことができる。
【００３５】
本発明によれば、除去部は、脆弱で、摩擦力により粉砕除去可能であるので、容易に作製することができる。
【００３６】
本発明によれば、秘密情報隠蔽層に隠蔽保護層が形成されているので、秘密情報隠蔽層の表面の強度を高めることができ、秘密情報隠蔽層の傷付き等を防止することができる。
【００３７】
本発明によれば、秘密情報隠蔽層を除去する場合において、除去部のみ除去可能であり、残留部は付着したままであるときは、真正品であると判別するので、簡単に真偽判定することができる。
【図面の簡単な説明】
【図１】本発明による秘密情報隠蔽カードの第１実施形態を示す図である。
【図２】本発明による秘密情報隠蔽カードの第１実施形態の使用状態を示す図である。
【図３】本発明による秘密情報隠蔽カードの第２実施形態を示す図である。
【図４】本発明による秘密情報隠蔽カードの第３実施形態を示す図である。
【図５】本発明による秘密情報隠蔽カードの第４実施形態を示す図である。
【符号の説明】
１０  秘密情報隠蔽カード
１１  カード基材
１１ａ  カード装飾
１２  秘密情報表示層
１３  秘密情報保護層
１４  秘密情報隠蔽層
１４ａ  残留部
１４ｂ  除去部
１５  隠蔽保護層
ａ  秘密情報
ｂ  真偽判別情報
【図１】
0004233682.tif 000002
【図２】
0004233682.tif 000003
【図３】
0004233682.tif 000004
【図４】
0004233682.tif 000005
【図５】
0004233682.tif 000006